(57)【要約】      （修正有）【課題】あたかも人の指による摩り揉みのようなマッサージが行え、簡易な構造で製造が容易なハンディー型のマッサージ器を提供する。【解決手段】筐体と、筐体内に収められた電動モータと、電動モータの回転軸に取り付けられた襞のある回転体とから成る。回転体はその一部を筐体に開けられた開孔部から筐体外に突出するように設けられており、少なくとも開孔部と回転体とを外側から覆う柔軟な膜状体を備え、回転体が膜状体を介して身体患部に接触するように構成されている。【選択図】図１
0003170861.tif 000002
【実用新案登録請求の範囲】
【請求項１】
筐体と、該筐体内に収められた電動モータと、該電動モータの回転軸に取り付けられた襞のある回転体とから成り、該回転体はその一部を前記筐体に開けられた開孔部から筐体外に突出するように設けられており、少なくとも前記開孔部と回転体とを外側から覆う柔軟な膜状体を備え、前記回転体が前記膜状体を介して身体患部に接触するように構成されていることを特徴とする、身体接触部位を摩り揉むマッサージ器。
【請求項２】
筐体と、該筐体内に収められた電動モータと、該電動モータの回転軸に取り付けられた襞のある回転体とから成り、前記筐体に前記回転軸を通す開孔部を有して前記回転体は全体が前記筐体外にあるように設けられており、少なくとも前記開孔部と回転体とを外側から覆う柔軟な膜状体を備え、前記回転体が前記膜状体を介して身体患部に接触するように構成されていることを特徴とする、身体接触部位を摩り揉むマッサージ器。
【請求項３】
前記筐体は、更に、他のマッサージ器に着脱自在に取り付けるための着脱手段を備えている、請求項１または請求項２に記載の身体接触部位を摩り揉むマッサージ器。
【請求項４】
前記筐体と前記着脱手段との間に、前記筐体と前記着脱手段とを回動自在に組み付けるための回動手段を備えており、該回動手段は前記筐体と前記着脱手段とを常に近付ける方向に付勢するためのバネを備えている、請求項３に記載の身体接触部位を摩り揉むマッサージ器。
【請求項５】
前記筐体は、更に、他のマッサージ器に固定的に取り付けるための取付手段を備えている、請求項１または請求項２に記載の身体接触部位を摩り揉むマッサージ器。
【請求項６】
前記筐体と前記取付手段との間に、前記筐体と前記取付手段とを回動自在に組み付けるための回動手段を備えており、該回動手段は前記筐体と前記取付手段とを常に近付ける方向に付勢するためのバネを備えている、請求項５に記載の身体接触部位を摩り揉むマッサージ器。
【考案の詳細な説明】
【技術分野】
【０００１】  この考案は簡単な構造で人の指による摩り揉みのようなマッサージが可能なハンディータイプのマッサージ器に関する。
【背景技術】
【０００２】  東洋医学で言う所の「あんま」や「指圧」は所謂マッサージのことであり、患部に対して手の指や手のひらで摩る、揉む、叩く、押すなどを行うことである。例えば特開２００９−０５０５７５の「手マッサージ器」は空気で患部を圧迫するためのものであり、特開２００９−１６５５７１の「電動器具」は指圧に係る器具であり、特開２０１０−１１５４５９は「足裏マッサージ器」に関するものである。
【先行技術文献】
【特許文献】
【０００３】
【特許文献１】特開２００９−０５０５７５号公報
【特許文献２】特開２００９−１６５５７１号公報
【特許文献３】特開２０１０−１１５４５９号公報
【考案の概要】
【考案が解決しようとする課題】
【０００４】  手の指や手のひらで摩る、揉む、叩く、押すことの内、揉む、叩く、押すは上掲の先行技術によって実現されている。この内、摩ることに関して、あたかも人が親指などの指の先で患部に軽く触れながら往復運動させて揉むような動作が行え、簡易な構造で製造が容易なハンディータイプのマッサージ器と言うものはこれまでになかった。【０００５】  もしもこのようなマッサージ器であれば、皮膚にとって新感覚のマッサージを与えるものとなるに違いなく、しかも比較的安い値段で提供することが可能になる。そしてこのようなマッサージ器を従来のマッサージ器と併用することが出来ればなお良い。そこでこの考案の目的は上述したような新しいマッサージ器を提供することにある。
【課題を解決するための手段】
【０００６】  このためこの考案は、筐体と、該筐体内に収められた電動モータと、該電動モータの回転軸に取り付けられた襞のある回転体とから成り、該回転体はその一部を前記筐体に開けられた開孔部から筐体外に突出するように設けられており、少なくとも前記開孔部と回転体とを外側から覆う柔軟な膜状体を備え、前記回転体が前記膜状体を介して身体患部に接触するように構成された身体接触部位を摩り揉むマッサージ器を提供して、上記の課題を解決する。回転体の襞は柔軟なものであることが望ましいが、前記膜状体を有していることもあって必ずしもこれに拘らない。この襞のある回転体は電動モータによって回転するが、その一部が筐体に開けられた開孔部から筐体外に突出しているため、ここで身体を摩ることが出来る。この摩りは恰も人が親指などの指の先で患部に軽く触れながら往復運動（ここでは往に身体に接触し復に身体から浮かすような往復運動である）させて揉む感覚のものであり、全く新しく癒し的なものである。従って美顔マッサージや頭皮マッサージや痛む筋肉のマッサージなど、強く押せないような身体部位にとって最適である。【０００７】  また上記の課題は、筐体と、該筐体内に収められた電動モータと、該電動モータの回転軸に取り付けられた襞のある回転体とから成り、前記筐体に前記回転軸を通す開孔部を有して前記回転体は全体が前記筐体外にあるように設けられており、少なくとも前記開孔部と回転体とを外側から覆う柔軟な膜状体を備え、前記回転体が前記膜状体を介して身体患部に接触するように構成された身体接触部位を摩り揉むマッサージ器とすることで達成される。上記同様に回転体の襞は柔軟であってもそうでなくとも良い。回転体の全体が筐体外にあってここが回転しながら身体を摩ることが出来るものである。【０００８】  次に、請求項１や請求項２のマッサージ器に付いて、前記筐体が更に他のマッサージ器にアタッチメント式に着脱自在に取り付けることが可能となるようにするための着脱手段を備えているものとすることが出来る。他のマッサージ器としては上掲の揉む、叩く、押すなどを行うマッサージ器を上げるが、このようなマッサージ器にこの考案の、指に往復運動させて摩るようなタイプのマッサージ器を併設して両者を使い分けすることを可能にするのである。例えばマッサージ開始初期はこの考案によって摩ると言う準備的なマッサージとしたり、他のマッサージ器としてツボ押し器によるマッサージの終わりにこの考案による整理マッサージとするなどである。或いは同時に用いられるように構成することも可能である。なおこの考案はアタッチメント式に取り付けることが出来るのであるから、他のマッサージ器から見れば、回転体の襞の形状などが異なるこの考案のマッサージ器を適宜交換することが出来て便利である。【０００９】  なおこれに付いて更に、前記筐体と前記着脱手段との間に、前記筐体と前記着脱手段とを回動自在に組み付けるための回動手段を備えており、該回動手段は前記筐体と前記着脱手段とを常に近付ける方向に例勢するためのバネを備えているものとすることが出来る。この考案の請求項１や請求項２のマッサージ器はこれを単独で手に持って使用するタイプのものであるが、他のマッサージ器���アタッチメント式に取り付けるものとするとこれを直接手に持たなくなるために身体への押し付けも間接的なものにならざるを得ない。そこで所要の摩る効果を得たいのであれば、筐体と着脱手段とを常に近付ける方向に付勢するためのバネを設けることで、この考案のマッサージ器の襞のある回転体を、身体に係わらせる他のマッサージ器に追随させて、身体に接触させるように構成することは好ましいことである。【００１０】  次に、請求項１や請求項２のマッサージ器に付いて前記筐体は、更に、他のマッサージ器に固定的に取り付けるための取付手段を備えているものとすることが出来る。他のマッサージ器としては上掲の揉む、叩く、押すなどを行うマッサージ器を上げるが、このようなマッサージ器にこの考案の指に往復運動させて摩るようなタイプのマッサージ器を併設して両者を使い分けすることを可能にするのである。【００１１】  更に前記筐体と前記取付手段との間に、前記筐体と前記取付手段とを回動自在に組み付けるための回動手段を備えており、該回動手段は前記筐体と前記取付手段とを常に近付ける方向に付勢するためのバネを備えているものとしても良い。この構成は、上述したように身体に係わらせる他のマッサージ器に追随させてこの考案のマッサージ器の襞のある回転体を身体に接触させるのに、とても都合が良い。
【考案の効果】
【００１２】  この考案のマッサージ器は構造がシンプルであるから、製造が容易で安価に提供することが出来る。またあたかも人が親指などの指の先で患部に軽く触れながら往復運動させて揉むような動作が行えて新感覚のマッサージを与えるものとなっている。
【図面の簡単な説明】
【００１３】
【図１】  実施例１を部分断面で表した説明図である。
【図２】  実施例１の駆動部を部分断面で表した説明図である。
【図３】  実施例２を部分断面で表した説明図である。
【図４】  実施例３を部分断面で表した説明図である。
【図５】  実施例３の回転体５０の説明図である。
【図６】  実施例４を背面視した説明図である。
【考案を実施するための形態】
【００１４】  以下ではこの考案の美顔用マッサージ器の４つの実施例を図面に基づいて説明するが、この考案はこれ等に限定されるものではなく、この考案の思想の範囲内で工夫される種々変形例もまたこの考案の権利範囲に含まれるものである。
【実施例１】
【００１５】  図１はこの実施例の全体を表した説明図であり、回転軸３０を中心にして放射状に設けた襞２０を有する回転体２を取り付けている筐体１の部分を断面図で表している。合成樹脂製の筐体１の一部は持ち手１０と成っており、その表面には滑り止めの性質が付与されている。この持ち手１０の内部は図示しないが電池ボックスとなっており、内蔵する電池はスイッチ３１を経由して後述するモータ３に電力を供給し得るように配線されている。なお持ち手１０内に制御回路を収容してモータ３の回転スピードの制御などの回転制御を行わせるように構成することが可能である。【００１６】  前記モータ３周りの構成は図２によって明らかと成る。すなわちモータ３は筐体１内に固定されておりモータ３の回転軸３０には回転体２が取り付けられている。この回転体２の外周部には９回対称の位置に柔軟な襞２０を有している。この襞２０は図１に矢線で示す方向（図１では半時計方向）に回転するものとされている。この１０枚の襞２０を有する回転体２は中空筒状に成型されたものであり、モータ３に被さってモータ３に遊嵌されるように回転軸３０に固定されている。この構成はモータ３と回転体２とで２重に場所を取らないようにするためのものである。また回転体２の襞２０は、筐体１の回転軸３０に直交する部位に設けた開口部１１から筐体１の外に出て回転するように設けられている。この開口部１１から外に出ている襞２０と筐体１とは、シリコーンゴム製の膜状体１２で覆われている。なおこの実施例の美顔用マッサージ器を風呂場で用いることが出来るようにしたいのであれば、モータ３を防水を施されたものとしたり、前記電池ボックスなどの電気系統に防水処理を施すようにすると良い。【００１７】  スイッチ３１をＯＮにしてモータ３を回転させると１０枚の襞２０を有する回転体２が回転を始める。襞２０は筐体１の開口部１１から出ており、図１の矢線で示した方向に回転するため、開口部１１に顔を近づけると回転する襞２０が膜状体１２を介して顔を撫でるように皮膚に接触して、恰も指先で皮膚を摩るような柔軟で新感覚のマッサージ効果を与えてくれる。なお襞２０に回転方向の凸湾曲を与えて成型しても良い。
【実施例２】
【００１８】  この実施例の殆どの構成は上述した実施例１の構成に倣っているが、持ち手１０の代わりに他のマッサージ器９に着脱自在に取り付けるための着脱手段を備えている点に特徴を有している。他のマッサージ器９とは顎の下や二の腕にバイブレーションを加えるためのマッサージ器のことであり、後述する接続具９０を備えている。【００１９】  筐体１３には上述したモータ３や襞２０を有する回転体２や膜状体１２の構成を備えている。筐体１３は更にその一側に他のマッサージ器９の接続具９０に接続するための接続具１５を有する。この接続具９０は断面Ｔ字形状であって頂部に突部９１を有する。この突部９１が嵌入する嵌入溝１６が形成され断面略コ字形状の接続具１５が、軸受け１７を以て回動軸１８により筐体１３側の軸受け１４に回動自在に設けられている。この回動軸１８にはコイルバネ１９が介設されて、コイルバネ１９の一側が筐体１３側を突っ張り、他側が接続具１５を突っ張るため、筐体１３すなわち襞２０を有する回転体２は常に他のマッサージ器９の側に回動するように付勢されていることになる。なお筐体１３から引き出されたリード線３２は図示しない電池ボックス兼コントローラに接続して電力を得る。【００２０】  なおこの実施例のマッサージ器は着脱手段を備えているが、他のマッサージ器９に対して固定的に取り付けるための取付手段を備えたものとすることが可能である。この一例として図３で鎖線で表すような、接続具１５側にボルト１００を備え、このボルト１００を通してナット（図示せず）で固定するための通し孔９０を接続具９０側に開孔した実施例を上げる。突部９１を嵌入溝１６に挿し入れてからボルト１００で固定する。
【実施例３】
【００２１】  図４はこの実施例の全体を表した説明図であり、合成樹脂製の筐体４の一部はその表面に滑り止めの性質が付与された持ち手４０と成っており、この持ち手４０の内部は図示しないが電池ボックスとなっており、内蔵する電池はスイッチ３１を経由して後述のモータ３に電力を供給し得るように配線されている。なお持ち手４０内に制御回路を収容して、モータ３の回転スピードの制御や正転反転などの回転制御を行わせるように構成することが可能である。【００２２】  モータ３は筐体４内にその回転軸３０を図４の長手方向に向けるようにして固定されており、回転軸３０が筐体４の開孔部４１から突出している。この回転軸３０には内筒５がが取り付けられており、内筒５には回転体５０が被せられている。この回転体５０の外周部には８回対称の位置に柔軟な襞５０を有している。またこの８枚の襞５１を有する回転体５０は中空筒状に成型されたものでありモータ３に被さってモータ３に遊嵌されるように回転軸３０に固定されている。この構成はモータ３と回転体５０とで２重に場所を取らないようにするためのものである。また筐体４と開口部４１から外に出ている襞５１とはシリコーンゴム製の膜状体４２で覆われている。なおこの実施例の美顔用マッサージ器を風呂場で用いることが出来るようにしたいのであれば、モータ３を防水を施されたものとしたり、前記電池ボックスなどの電気系統に防水処理を施すようにすると良い。なお回転体５０とその襞５０の形状は図５で明らかとなるが、図５では膜状体４２を省略して描いている。【００２３】  スイッチ３１をＯＮにしてモータ３を回転させると、８枚の襞５１を有する回転体５０が回転を始める。襞５１は筐体４の開口部４１から出ているため、回転する襞５１が膜状体４２を介して顔を撫でるように皮膚に接触し、恰も指先で皮膚を摩るような柔軟で新感覚のマッサージ効果を与えてくれる。なお少なくとも襞５１を、ブラシとして形成することが可能である。
【実施例４】
【００２４】  この実施例の殆どの構成は上述した実施例３の構成に倣っているが、持ち手４０の代わりに他のマッサージ器９３に着脱自在に取り付けるための着脱手段を備えている点に特徴を有している。他のマッサージ器９３とは顎の下や二の腕にバイブレーションを加えるためのマッサージ器のことであり、後述する接続具としてのゴムバンド９４を備えている。【００２５】  筐体４３には上述したモータ３や襞５１を有する回転体５０や膜状体４２（図示せず）の構成を備えている。筐体４３には軸受け４４が取り付けられており、この軸受け４４に回動軸４８を以て回動自在に取り付ける軸受け４５には、他のマッサージ器９２の胴部に直接的に取り付けるための接続具である湾曲形状の当接板４６を有する。この当接板４６の湾曲形状は他のマッサージ器９２の胴部に適合する形状をしている。また当接板４６の両端部には、ゴムバンド９４を他のマッサージ器９２の胴部に回して当接板４６を固定すべく、ゴムバンド９４を掛止するための鉤部４７，４７が設けられている。回動軸４８にはコイルバネ４９が介設されて、コイルバネ４９の一側が筐体４３側を突っ張り、他側が軸受け４５側を突っ張ることによって、筐体４３すなわち襞５１を有する回転体５０の先部が常に他のマッサージ器９３の側に回動するように付勢されている。【００２６】  なおモータ３から引き出されたリード線は電池ボックス兼コントローラに接続して電力を得る（図示せず）。またこの実施例のマッサージ器は当接板４６と鉤部４７とから成る着脱手段を備えているが、他のマッサージ器９３に対して固定的に取り付けるための取付手段を備えたものとすることが可能である。
【産業上の利用可能性】
【００２７】  この考案のマッサージ器の形状や素材は任意選択が可能である。身体患部に適する構成を採用すれば良い。またこの考案のマッサージ器の用途は自由であり、例えばマッサージチェアのアタッチメントとして構成したり、これ単独で用いるペット用のマッサージ器として構成することが可能である。
【符号の説明】
【００２８】１      筐体
１０    持ち手
１１    開孔部
１２    膜状体
１３    筐体
１４    軸受け
１５    接続具
１６    嵌入溝
１７    軸受け
１８    回動軸
１９    コイルバネ
１００  ボルト
２      回転体
２０    襞
３      モータ
３０    回転軸
３１    スイッチ
３２    リード線
４      筐体
４０    持ち手
４１    開孔部
４２    膜状体
４３    筐体
４４    軸受け
４５    軸受け
４６    当接板
４７    鉤部
４８    回動軸
４９    コイルバネ
５      内筒
５０    回転体
５１    襞
９      他のマッサージ器
９０    接続具
９１    突部
９２    通し孔
９３    他のマッサージ器
９４    ゴムバンド
【図１】
0003170861.tif 000003
【図２】
0003170861.tif 000004
【図３】
0003170861.tif 000005
【図４】
0003170861.tif 000006
【図５】
0003170861.tif 000007
【図６】
0003170861.tif 000008